【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
二次元のアレイにて配置され、各々がマーキング材料を排出するように構成されている複数のプリントヘッドと、
前記プリントヘッドの二次元のアレイによって形成される平面に平行となるように配置された支持部材であって、該支持部材の一方の端部を該支持部材の第２の端部よりも高い重力ポテンシャルに位置させることができるように向けられている支持部材と、
前記支持部材に移動可能に取り付けられた部材と、
前記移動可能に取り付けられた部材に作用可能に接続され、前記移動可能に取り付けられた部材を前記支持部材に沿って移動させることができるアクチュエータと、
前記移動可能に取り付けられた部材に取り付けられ、前記移動可能に取り付けられた部材が前記支持部材に沿って移動するときに前記複数のプリントヘッドを通過することができるように構成された物体ホルダと、
前記複数のプリントヘッドおよび前記アクチュエータへと作用可能に接続され、前記物体ホルダを前記複数のプリントヘッドを通過して移動させるべく前記アクチュエータを動作させるとともに、前記物体ホルダが前記複数のプリントヘッドを通過するときに前記物体ホルダによって保持された物体へとマーキング材料を排出すべく前記複数のプリントヘッドを動作させるように構成されたコントローラと
を備える印刷システム。
【請求項２】
一対のプーリに接触するベルト
をさらに備え、
前記一対のプーリのうちの一方のプーリは、前記ベルトを前記一対のプーリの周囲を移動させ、前記物体ホルダを前記複数のプリントヘッドを通過して移動させるために、前記アクチュエータによって該一方のプーリを回転させることができるように前記アクチュエータへと動作可能に接続されている、請求項１に記載の印刷システム。
【請求項３】
前記一対のプーリは、不動に配置され、前記ベルトは、エンドレスベルトを形成するように前記一対のプーリの周囲に巻き付けられており、
前記移動可能に取り付けられた部材は、第３のプーリを備え、該第３のプーリは、前記移動可能に取り付けられた部材を移動させるべく前記一対のプーリの周囲を移動する前記エンドレスベルトの運動に応答して該第３のプーリを回転させることができるように前記エンドレスベルトに係合している、請求項２に記載の印刷システム。
【請求項４】
前記アクチュエータは、前記移動可能に取り付けられた部材を双方向に移動させる線形アクチュエータである、請求項１に記載の印刷システム。
【請求項５】
前記物体ホルダは、前記移動可能に取り付けられた部材に前記物体ホルダを選択的に取り付けるように構成されたラッチをさらに備える、請求項１に記載の印刷システム。
【請求項６】
前記物体ホルダは、前記移動可能に取り付けられた部材に面した前記物体ホルダの表面上に識別タグをさらに備え、
前記移動可能に取り付けられた部材は、前記識別タグから識別子を取得する入力装置を含み、
前記コントローラは、前記移動可能に取り付けられた部材の前記入力装置へと動作可能に接続され、前記コントローラは、前記複数のプリントヘッドおよび前記アクチュエータを、前記移動可能に取り付けられた部材の前記入力装置から受信した前記識別子に基づいて駆動するようにさらに構成されている、請求項５に記載の印刷システム。
【請求項７】
前記識別タグは無線周波数識別（ＲＦＩＤ）タグであり、前記移動可能に取り付けられた部材の前記入力装置はＲＦＩＤ読み取り機である、請求項６に記載の印刷システム。
【請求項８】
前記識別タグはバーコードであり、前記移動可能に取り付けられた部材の前記入力装置はバーコード読み取り機である、請求項６に記載の印刷システム。
【請求項９】
前記コントローラは、
前記移動可能に取り付けられた部材の前記入力装置から受信した前記識別子を、前記コントローラへと動作可能に接続されたメモリに格納された識別子と比較し、
前記入力装置から受信した前記識別子が、前記メモリに格納された識別子のいずれにも対応しないときに、前記アクチュエータの動作を無効にするようにさらに構成されている、請求項６に記載の印刷システム。
【請求項１０】
前記コントローラは、
前記移動可能に取り付けられた部材の前記入力装置から受信した前記識別子を、前記コントローラへと動作可能に接続されたメモリに格納された識別子と比較し、
前記入力装置から受信した前記識別子が、前記メモリに格納された識別子のいずれにも対応しないときに、前記複数のプリントヘッドのうちの各プリントヘッドの動作を無効にするようにさらに構成されている、請求項６に記載の印刷システム。
【請求項１１】
前記コントローラは、
前記移動可能に取り付けられた部材の前記入力装置から受信した前記識別子を、前記コントローラへと動作可能に接続されたメモリに格納された識別子と比較し、
ユーザインターフェースを動作させて、前記印刷システムの状況に関するメッセージを送信するようにさらに構成されている、請求項６に記載の印刷システム。
【請求項１２】
前記コントローラは、
前記システムを監視して、前記複数のプリントヘッドのうちの各プリントヘッドの設定およびプリントヘッドに供給されるインクを検出し、
前記ユーザインターフェースを動作させて、インクの変更が必要である、または前記複数のプリントヘッドの設定変更が必要である旨のメッセージを生成するようにさらに構成されている、請求項１１に記載の印刷システム。
【請求項１３】
前記ユーザインターフェースは、
英数字によるメッセージのための表示装置と、
操作者がデータを入力するためのキーパッドと、
前記表示装置上のメッセージに注意を促す報知機と
をさらに備える、請求項１１に記載の印刷システム。
【請求項１４】
前記物体ホルダは、
前記複数のプリントヘッドによる印刷のために物体を保持するように構成された少なくとも１つの開口
をさらに備える、請求項１に記載の印刷システム。
【請求項１５】
前記物体ホルダは、
前記複数のプリントヘッドによる印刷のために物体を保持するように構成された少なくとも１つのアーム
をさらに備える、請求項１に記載の印刷システム。
【請求項１６】
物体を物体の供給場所から前記物体ホルダへと届けるように構成されたコンベア
をさらに備えており、
前記物体ホルダは、前記コンベアから物体を受け取るように構成され、
前記コントローラは、前記コンベアに動作可能に接続され、前記コントローラは、物体を前記物体ホルダへと届けるべく前記コンベアを動作させ、前記物体ホルダによって保持された物体を前記複数のプリントヘッドを通過して移動させるべく前記アクチュエータを動作させることで、物体が前記複数のプリントヘッドを通過するときに物体へと印刷を行うことを可能にするようにさらに構成されている、請求項１に記載の印刷システム。
【請求項１７】
前記物体ホルダによって保持された物体に前記複数のプリントヘッドのうちの各プリントヘッドによる印刷が行われた後に前記物体ホルダから物体を受け取り、該印刷済みの物体を前記印刷システムから離れた場所へと運ぶように構成されたもう１つのコンベア
をさらに備える、請求項１６に記載の印刷システム。
【請求項１８】
前記物体ホルダへと取り付けられ、媒体のシートの一部分を前記物体ホルダの表面に対して保持できるように前記物体ホルダの前記表面に対して押し付けを行うように構成された付勢された部材と、
前記ホルダの前記表面に対して保持された前記媒体のシートの画像データを生成するように配置された光学センサと
をさらに備えており、
前記コントローラは、前記光学センサへと動作可能に接続され、前記コントローラは、
前記付勢された部材によって前記物体ホルダへと取り付けられた前記媒体のシートを前記複数のプリントヘッドを通過して移動させるべく前記アクチュエータを動作させ、
前記物体ホルダ上の前記媒体のシート上に１つ以上のテストパターンを形成すべく前記プリントヘッドのアレイを動作させ、
前記媒体のシート上の前記テストパターンの画像データを分析して、前記複数のプリントヘッドにおけるプリントヘッドの整列およびプリントヘッド内の不作動の排出装置を特定する
ようにさらに構成されている、請求項１に記載の印刷システム。
【請求項１９】
前記物体ホルダに着脱可能に取り付けられる部材であって、前記印刷システムによる印刷が可能な材料からなる平坦な領域を含む、着脱可能に取り付けられる部材と、
前記着脱可能に取り付けられる部材の前記平坦な領域の画像データを生成するように配置された光学センサと
をさらに備えており、
前記コントローラは、前記光学センサに動作可能に接続され、前記コントローラは、
前記物体ホルダが前記複数のプリントヘッドを通過して移動するときに、前記着脱可能に取り付けられる部材の前記平坦な領域に１つ以上のテストパターンを形成するように前記複数のプリントヘッドを動作させ、
前記平坦な領域上の前記１つ以上のテストパターンについて前記画像データを分析して、前記複数のプリントヘッドにおけるプリントヘッドの整列およびプリントヘッド内の不作動の排出装置を特定するようにさらに構成されている、請求項１に記載の印刷システム。
【請求項２０】
前記物体が前記複数のプリントヘッドを通過した後で、前記物体ホルダによって保持された物体の画像データを生成するように配置された光学センサ
をさらに備えており、
前記コントローラは、前記光学センサに動作可能に接続され、前記コントローラは、
前記物体ホルダが前記複数のプリントヘッドを通過して移動するときに、前記物体に１つ以上のテストパターンを形成するように前記複数のプリントヘッドを動作させ、
前記物体上の前記１つ以上のテストパターンについて前記画像データを分析して、前記複数のプリントヘッドにおけるプリントヘッドの整列およびプリントヘッド内の不作動の排出装置を特定するようにさらに構成される、請求項１に記載の印刷システム。
【請求項２１】
二次元のアレイにて配置され、各々がマーキング材料を排出するように構成されている複数のプリントヘッドと、
前記プリントヘッドの二次元のアレイによって形成される平面に平行となるように配置された支持部材と、
前記支持部材に移動可能に取り付けられた部材と、
前記移動可能に取り付けられた部材に作用可能に接続され、前記移動可能に取り付けられた部材を前記支持部材に沿って移動させることができるアクチュエータと、
前記移動可能に取り付けられた部材に取り付けられ、前記移動可能に取り付けられた部材が前記支持部材に沿って移動するときに前記複数のプリントヘッドを通過することができるように構成された物体ホルダと、
前記移動可能に取り付けられた部材に面した前記物体ホルダの表面上の識別タグと
を備える印刷システムであって、
前記移動可能に取り付けられた部材は、前記識別タグから識別子を取得する入力装置をさらに含み、
前記印刷システムは、さらに、前記複数のプリントヘッド、前記アクチュエータ、および前記移動可能に取り付けられた部材の前記入力装置へと作用可能に接続されたコントローラを含み、
前記コントローラは、前記物体ホルダを前記複数のプリントヘッドを通過して移動させるべく前記アクチュエータを動作させるとともに、前記物体ホルダが前記複数のプリントヘッドを通過するときに前記物体ホルダによって保持された物体へとマーキング材料を排出すべく前記複数のプリントヘッドを動作させるように構成されて、前記複数のプリントヘッドおよび前記アクチュエータの動作が、前記移動可能に取り付けられた部材の前記入力装置から受信した前記識別子に基づいて行われるようにする、印刷システム。
【請求項２２】
一対のプーリに接触するベルト
をさらに備え、
前記一対のプーリのうちの一方のプーリは、前記ベルトを前記一対のプーリの周囲を移動させ、前記物体ホルダを前記複数のプリントヘッドを通過して移動させるために、前記アクチュエータによって該一方のプーリを回転させることができるように前記アクチュエータへと動作可能に接続されている、請求項２１に記載の印刷システム。
【請求項２３】
前記一対のプーリは、不動に配置され、前記ベルトは、エンドレスベルトを形成するように前記一対のプーリの周囲に巻き付けられており、
前記移動可能に取り付けられた部材は、第３のプーリを備え、該第３のプーリは、前記移動可能に取り付けられた部材を移動させるべく前記一対のプーリの周囲を移動する前記エンドレスベルトの運動に応答して該第３のプーリを回転させることができるように前記エンドレスベルトに係合している、請求項２２に記載の印刷システム。
【請求項２４】
前記アクチュエータは、前記移動可能に取り付けられた部材を双方向に移動させる線形アクチュエータである、請求項２１に記載の印刷システム。
【請求項２５】
前記支持部材は、該支持部材の一方の端部を該支持部材の第２の端部よりも高い重力ポテンシャルに位置させることができるように向けられている、請求項２１に記載の印刷システム。
【請求項２６】
前記物体ホルダは、前記移動可能に取り付けられた部材に前記物体ホルダを選択的に取り付けるように構成されたラッチをさらに備える、請求項２１に記載の印刷システム。
【請求項２７】
前記識別タグは無線周波数識別（ＲＦＩＤ）タグであり、前記移動可能に取り付けられた部材の前記入力装置はＲＦＩＤ読み取り機である、請求項２１に記載の印刷システム。
【請求項２８】
前記識別タグはバーコードであり、前記移動可能に取り付けられた部材の前記入力装置はバーコード読み取り機である、請求項２１に記載の印刷システム。
【請求項２９】
前記コントローラは、
前記移動可能に取り付けられた部材の前記入力装置から受信した前記識別子を、前記コントローラへと動作可能に接続されたメモリに格納された識別子と比較し、
前記入力装置から受信した前記識別子が、前記メモリに格納された識別子のいずれにも対応しないときに、前記アクチュエータの動作を無効にするようにさらに構成されている、請求項２１に記載の印刷システム。
【請求項３０】
前記コントローラは、
前記移動可能に取り付けられた部材の前記入力装置から受信した前記識別子を、前記コントローラへと動作可能に接続されたメモリに格納された識別子と比較し、
前記入力装置から受信した前記識別子が、前記メモリに格納された識別子のいずれにも対応しないときに、前記複数のプリントヘッドのうちの各プリントヘッドの動作を無効にするようにさらに構成されている、請求項２１に記載の印刷システム。
【請求項３１】
前記コントローラは、
前記移動可能に取り付けられた部材の前記入力装置から受信した前記識別子を、前記コントローラへと動作可能に接続されたメモリに格納された識別子と比較し、
ユーザインターフェースを動作させて、前記印刷システムの状況に関するメッセージを送信するようにさらに構成されている、請求項２１に記載の印刷システム。
【請求項３２】
前記コントローラは、
前記システムを監視して、前記複数のプリントヘッドのうちの各プリントヘッドの設定およびプリントヘッドに供給されるインクを検出し、
前記ユーザインターフェースを動作させて、インクの変更が必要である、または前記複数のプリントヘッドの設定変更が必要である旨のメッセージを生成するようにさらに構成されている、請求項３１に記載の印刷システム。
【請求項３３】
前記ユーザインターフェースは、
英数字によるメッセージのための表示装置と、
操作者がデータを入力するためのキーパッドと、
前記表示装置上のメッセージに注意を促す報知機と
をさらに備える、請求項３１に記載の印刷システム。
【請求項３４】
前記物体ホルダは、
前記複数のプリントヘッドによる印刷のために物体を保持するように構成された少なくとも１つの開口
をさらに備える、請求項２１に記載の印刷システム。
【請求項３５】
前記物体ホルダは、
前記複数のプリントヘッドによる印刷のために物体を保持するように構成された少なくとも１つのアーム
をさらに備える、請求項２１に記載の印刷システム。
【請求項３６】
物体を物体の供給場所から前記物体ホルダへと届けるように構成されたコンベア
をさらに備えており、
前記物体ホルダは、前記コンベアから物体を受け取るように構成され、
前記コントローラは、前記コンベアに動作可能に接続され、前記コントローラは、物体を前記物体ホルダへと届けるべく前記コンベアを動作させ、前記物体ホルダによって保持された物体を前記複数のプリントヘッドを通過して移動させるべく前記アクチュエータを動作させることで、物体が前記複数のプリントヘッドを通過するときに物体へと印刷を行うことを可能にするようにさらに構成されている、請求項２１に記載の印刷システム。
【請求項３７】
前記物体ホルダによって保持された物体に前記複数のプリントヘッドのうちの各プリントヘッドによる印刷が行われた後に前記物体ホルダから物体を受け取り、該印刷済みの物体を前記印刷システムから離れた場所へと運ぶように構成されたもう１つのコンベア
をさらに備える、請求項３６に記載の印刷システム。
【請求項３８】
前記物体ホルダへと取り付けられ、媒体のシートの一部分を前記物体ホルダの表面に対して保持できるように前記物体ホルダの前記表面に対して押し付けを行うように構成された付勢された部材と、
前記ホルダの前記表面に対して保持された前記媒体のシートの画像データを生成するように配置された光学センサと
をさらに備えており、
前記コントローラは、前記光学センサへと動作可能に接続され、前記コントローラは、
前記付勢された部材によって前記物体ホルダへと取り付けられた前記媒体のシートを前記複数のプリントヘッドを通過して移動させるべく前記アクチュエータを動作させ、
前記物体ホルダ上の前記媒体のシート上に１つ以上のテストパターンを形成すべく前記プリントヘッドのアレイを動作させ、
前記媒体のシート上の前記テストパターンの画像データを分析して、前記複数のプリントヘッドにおけるプリントヘッドの整列およびプリントヘッド内の不作動の排出装置を特定する
ようにさらに構成されている、請求項２１に記載の印刷システム。
【請求項３９】
前記物体ホルダに着脱可能に取り付けられる部材であって、前記印刷システムによる印刷が可能な材料からなる平坦な領域を含む、着脱可能に取り付けられる部材と、
前記着脱可能に取り付けられる部材の前記平坦な領域の画像データを生成するように配置された光学センサと
をさらに備えており、
前記コントローラは、前記光学センサに動作可能に接続され、前記コントローラは、
前記物体ホルダが前記複数のプリントヘッドを通過して移動するときに、前記着脱可能に取り付けられる部材の前記平坦な領域に１つ以上のテストパターンを形成するように前記複数のプリントヘッドを動作させ、
前記平坦な領域上の前記１つ以上のテストパターンについて前記画像データを分析して、前記複数のプリントヘッドにおけるプリントヘッドの整列およびプリントヘッド内の不作動の排出装置を特定するようにさらに構成されている、請求項２１に記載の印刷システム。
【請求項４０】
前記物体が前記プリントヘッドのアレイを通過した後で、前記物体ホルダによって保持された物体の画像データを生成するように配置された光学センサ
をさらに備えており、
前記コントローラは、前記光学センサに動作可能に接続され、前記コントローラは、
前記物体ホルダが前記プリントヘッドのアレイを通過して移動するときに、前記物体に１つ以上のテストパターンを形成するように前記プリントヘッドのアレイを動作させ、
前記物体上の前記１つ以上のテストパターンについて前記画像データを分析して、前記複数のプリントヘッドのアレイにおけるプリントヘッドの整列およびプリントヘッド内の不作動の排出装置を特定するようにさらに構成される、請求項２１に記載の印刷システム。
【手続補正２】
【補正対象書類名】明細書
【補正対象項目名】発明の名称
【補正方法】変更
【補正の内容】
【発明の名称】印刷システム